(57)【要約】【課題】本発明の目的は、前側板の設置作業、あるいは操作盤又は位置表示器の取付作業に要する時間を短縮することにある。【解決手段】エレベーター乗りかごの操作盤又は位置表示器が取り付けられる前側板において、操作盤又は位置表示器の表面と対向する面をカバーする中央側板３と、前記操作盤又は位置表示器の両脇の表面をカバーする左右側板２，４を備え、前記中央側板３を前記左右側板２，４に圧接させることにより固定した。【選択図】  図２
2004331286.tif 000002
【特許請求の範囲】
【請求項１】
エレベーター乗りかごの操作盤又は位置表示器が取り付けられる前側板において、操作盤又は位置表示器の表面と対向する面をカバーする中央側板と、前記操作盤又は位置表示器の両脇の表面をカバーする左右側板を備え、前記中央側板を前記左右側板に圧接させることにより固定することを特徴とするエレベーター乗りかごの前側板。
【請求項２】
エレベーター乗りかごの操作盤又は位置表示器が取り付けられる前側板において、操作盤又は位置表示器の表面と対向する面をカバーする中央側板と、前記操作盤又は位置表示器の両脇の表面をカバーする左右側板を備え、前記中央側板を前記左右側板に圧接させる付勢部材を、前記左右側板に設けることにより、前記中央側板を前記左右側板に固定することを特徴とするエレベーター乗りかごの前側板。
【請求項３】
エレベーター乗りかごの操作盤又は位置表示器が取り付けられる前側板において、操作盤又は位置表示器の表面と対向する面をカバーする中央側板と、前記操作盤又は位置表示器の両脇の表面をカバーする左右側板を備え、前記中央側板は、底部と縁部を有するコ字形状となっており、前記中央側板の縁部の内側側面が、前記左右側板の裏側側面と接するように構成され、前記左右側板の裏側側面に一端が取り付けられた付勢部材と前記左右側板で前記中央側板の縁部を挟むことによって、前記中央側板を前記左右側板に固定することを特徴とするエレベーター乗りかごの前側板。
【請求項４】
請求項２または３のいずれかにおいて、前記付勢部材は板ばねにより形成されていることを特徴とするエレベーター乗りかごの前側板。
【請求項５】
請求項１乃至４のいずれかにおいて、前記左右側板を連結材で連結したことを特徴とするエレベーター乗かごの前側板。
【請求項６】
請求項５において、前記連結材を介して床及び天井に固定されることを特徴とするエレベーター乗かごの前側板。
【発明の詳細な説明】
【０００１】
【発明の属する技術分野】
本発明は、エレベーター乗かごの前側板に関する。
【０００２】
【従来の技術】
従来、エレベーターの乗りかごは、図３に示すように、天井，床，乗りかごドア，両側面の側板，背面側板、及び前側板等から構成されている。
【０００３】
このうち前側板は、行先階ボタン，開閉ボタン等を備えた操作盤を設置する側板として、乗りかごの開口部の脇に設けられているものである。また、この前側板を、制御盤の電気部品や配線を収納するためのコ字状に形成されたボックスと、このボックスの両側の側板によって構成し、このボックスと両脇の側板とをボルトで固定させる技術が既に提案されている。
【０００４】
【特許文献１】
特開平５−１４７８７３号公報（第１図）
【０００５】
【発明が解決しようとする課題】
しかしながら、上記提案された前側板では、ボックスと両脇の側板とをボルトにより固定するので、組立作業に多大の時間を要していた。
【０００６】
したがって、本発明の目的は、組立作業の容易なエレベーター乗かごの前側板を提供することにある。
【０００７】
【課題を解決するための手段】
上記目的を達成するために、本発明では、エレベーター乗りかごの操作盤又は位置表示器が取り付けられる前側板において、操作盤又は位置表示器の表面と対向する面をカバーする中央側板と、前記操作盤又は位置表示器の両脇の表面をカバーする左右側板を備え、前記中央側板を前記左右側板に圧接させることにより固定することを特徴とする。
【０００８】
このように、中央側板と左右側板とを、圧接により固定させたので、従来のようにボルト等で固定する場合と比較して、前側板の設置作業、あるいは操作盤又は位置表示器の取付作業に要する時間を短縮することができる。
【０００９】
【発明の実施の形態】
以下、本発明のエレベーター乗かごの前側板の実施の形態を、図に基づいて説明する。
【００１０】
図１は、本発明の一実施形態におけるエレベーター乗かごの前側板の全体概略図、図２は、図１の前側板を上から見た平面図である。
【００１１】
まず、図１に示すように、本実施形態の前側板１は、行先階ボタンや開閉ボタン等を備えた操作盤（図示せず）あるいは乗りかごの位置表示器（図示せず）と対向する面をカバーし、電気部品や配線を保護する中央側板３と、操作盤又は位置表示器の両脇の表面をカバーし、乗りかご面を形成する左側板２及び右側板４とから構成されている。また、左側板２及び右側板４を連結する連結材６が、それぞれの側板の上下端部にボルト等によって固定されている。
【００１２】
更に、図２にも示すように、中央側板３は、底部３ａと縁部３ｂを有するコ字形状の側板であり、図示しないが、このコ字の内部のスペースに、操作盤あるいは位置表示器の電気部品及びその配線が収納できるようになっている。
【００１３】
また、左側板２及び右側板４は、その裏側側面２ａ及び４ａに、付勢部材を形成する板ばね５が設けられている。尚、この板ばね５は、ビスや溶接等によって左側板２及び右側板４にそれぞれ固定される。
【００１４】
また、左側板２の折り返し部２ｂの上端には取付板７が、右側板４の折り返し端部４ｂの上端には取付板８が、ビス等によりそれぞれ固定されている。そして、これらの取付板７，８には、天井に固定するための穴７ａ，８ａがそれぞれ設けられており、この穴７ａ，８ａを介してボルトにより固定される。同様に、連結材６も、穴６ａを介して床や天井に固定される。
【００１５】
次に、前側板１を設置する手順について説明する。まず、鋼板を折り曲げて、左側板２，中央側板３及び右側板４を製作する。次に、左側板２，右側板４に、それぞれ取付板７，８を固定すると共に板ばね５を取り付ける。その後、左側板２と右側板４の上下端部を連結材６で連結する。そして、中央側板３を図２の矢印の方向に移動させながら、板ばね５と左右側板の裏側側面２ａ，４ａとの間で、中央側板３の縁部３ｂを挟み込む。すると、中央側板３の縁部３ｂが左右側板の裏側側面２ａ，４ａに圧接されて、中央側板３が左右側板２，４に保持される。
【００１６】
こうして組み立てられた前側板１は、取付板７，８及び連結板６の穴を介して天井や床に固定する。
【００１７】
本実施形態によれば、中央側板３と左右側板２，４の取付方法が嵌め込み式であるため、作業性が良くなる。また、中央側板３を左右側板２，４と組み合わせた後であっても、中央側板３を容易に取り外すことができるので、組立作業のやり直しや操作盤等の保守点検が容易に行える利点もある。
【００１８】
尚、本発明では、付勢部材として板ばねを用いたが、中央側板３と左右側板２，４とを圧接するものであれば、それ以外のものであっても構わない。また、付勢部材を、左右側板２，４の表側側面に設けたり、中央側板に設けたりしても良い。
【００１９】
【発明の効果】
本発明によれば、中央側板と左右側板とを、圧接により固定させたので、前側板の設置作業、あるいは操作盤又は位置表示器の取付作業に要する時間を短縮することができる。
【図面の簡単な説明】
【図１】本発明の一実施形態を示すエレベーター乗かごの前側板の概略図である。
【図２】図１の前側板を上から見た平面図である。
【図３】従来の乗りかごの全体概略図である。
【符号の説明】
１，１３…前側板、２…左側板、２ａ，４ａ…裏側側面、２ｂ…折り返し部、３…中央側板、３ａ…底部、３ｂ…縁部、４…右側板、４ｂ…折り返し端部、５…板ばね、６…連結板、６ａ，７ａ，８ａ…穴、７，８…取付板、９…天井、１０…床、１１…乗りかごドア、１２…側板、１４…操作盤、１５…行先階釦。
【図１】
2004331286.tif 000003
【図２】
2004331286.tif 000004
【図３】
2004331286.tif 000005